【手続補正書】
【提出日】平成23年6月7日(2011.6.7)
【手続補正１】
【補正対象書類名】特許請求の範囲
【補正対象項目名】全文
【補正方法】変更
【補正の内容】
【特許請求の範囲】
【請求項１】
共鳴音を、楽音波形データに付加する共鳴音付加装置であって、
少なくとも、鍵盤楽器においてダンパーが配置される低音側の鍵域についてのインパルス応答特性を表す時間軸上の値であるインパルス応答係数からなる低音側インパルス応答データと、鍵盤楽器においてダンパーが配置されない高音側の鍵域についてのインパルス応答特性を表す時間軸上の値であるインパルス応答係数からなる高音側インパルス応答データと、を格納した記憶手段と、
前記記憶手段に格納された低音側インパルス応答データ及び高音側インパルス応答データを読み出す読み出し手段と、
前記楽音波形データを遅延させる遅延手段と、
前記読み出された低音側インパルス応答データに含まれるインパルス応答係数と、前記楽音波形データ或いは前記遅延手段から出力される遅延された楽音波形データとを乗算する乗算手段および乗算手段の出力を加算する加算手段を有する低音側畳み込み演算手段と、
前記読み出された高音側インパルス応答データに含まれるインパルス応答係数と、前記楽音波形データ或いは前記遅延手段から出力される遅延された楽音波形データとを乗算する乗算手段および乗算手段の出力を加算する加算手段を有する高音側畳み込み演算手段と、
ダンパペダルの踏み込みが大きくなるのにしたがって、前記低音側畳み込み演算手段の出力が大きくなるように調整する調整手段と、
前記調整手段により調整された低音側畳み込み演算手段の出力と、前記高音側畳み込み演算手段の出力とを加算する加算手段と、を有する共鳴音生成手段と、
を備えたことを特徴とする共鳴音付加装置。
【請求項２】
前記高音側インパルス応答データに含まれるインパルス応答係数の数が、前記低音側インパルス応答データに含まれるインパルス応答係数の数より少ないことを特徴とする請求項１に記載の共鳴音付加装置。
【請求項３】
前記低音側の鍵域に属する鍵の押鍵数に応じて、前記調整手段における前記低音側畳み込み演算手段の出力の調整を行う制御手段を備えたことを特徴とする請求項１に記載の共鳴音付加装置。
【請求項４】
前記記憶手段が、前記鍵盤楽器においてダンパーが配置される鍵域において、より低音側の第１の鍵域についてのインパルス応答特性を表す時間軸上の値であるインパルス応答係数からなる第１のインパルス応答データと、前記ダンパーが配置される鍵域において、より高音側の第２の鍵域についてのインパルス応答特性を表す時間軸上の値であるインパルス応答係数からなる第２のインパルス応答データと、を格納し、
前記共鳴音生成手段が、
前記第１のインパルス応答データに含まれるインパルス応答係数と、前記楽音波形データ或いは前記遅延手段から出力される遅延された楽音波形データとを乗算する乗算手段および乗算手段の出力を加算する加算手段を有する第１の畳み込み演算手段と、
前記第２のインパルス応答データに含まれるインパルス応答係数と、前記楽音波形データ或いは前記遅延手段から出力される遅延された楽音波形データとを乗算する乗算手段および乗算手段の出力を加算する加算手段を有する第２の畳み込み演算手段と、
前記高音側インパルス応答データに含まれるインパルス応答係数と、前記楽音波形データ或いは前記遅延手段から出力される遅延された楽音波形データとを乗算する乗算手段および乗算手段の出力を加算する加算手段を有する高音側畳み込み演算手段と、
ダンパペダルの踏み込みが大きくなるのにしたがって、前記第１の畳み込み演算手段および前記第２の畳み込み演算手段の出力が大きくなるように調整する調整手段と、
を有することを特徴とする請求項１または２に記載の共鳴音付加装置。
【請求項５】
前記第１の鍵域および第２の鍵域にそれぞれ属する鍵の押鍵数に応じて、前記調整手段における前記第１の畳み込み演算手段および第２の畳み込み演算手段のそれぞれの出力の調整を行う制御手段を備えたことを特徴とする請求項４に記載の共鳴音付加装置。
【請求項６】
共鳴音を、楽音波形データに付加する共鳴音付加装置であって、
少なくとも、鍵盤楽器においてダンパペダルが完全にオン状態であるときのインパルス応答特性を表す時間軸上の値であるインパルス応答係数からなるペダルオンインパルス応答データと、鍵盤楽器においてダンパペダルがオフ状態であるときのインパルス応答特性を表す時間軸上の値であるインパルス応答係数からなるペダルオフインパルス応答データと、を格納した記憶手段と、
前記記憶手段に格納されたペダルオンインパルス応答データ及びペダルオフインパルス応答データを読み出す読み出し手段と、
前記楽音波形データを遅延させる遅延手段と、
前記読み出されたペダルオンインパルス応答データに含まれるインパルス応答係数と、前記楽音波形データ或いは前記遅延手段から出力される遅延された楽音波形データとを乗算する乗算手段および乗算手段の出力を加算する加算手段を有するペダルオン畳み込み演算手段と、
前記読み出されたペダルオフインパルス応答データに含まれるインパルス応答係数と、前記楽音波形データ或いは前記遅延手段から出力される遅延された楽音波形データとを乗算する乗算手段および乗算手段の出力を加算する加算手段を有するペダルオフ畳み込み演算手段と、
ダンパペダルの踏み込みが大きくなるのにしたがって、前記ペダルオン畳み込み演算手段の出力が大きくなるように調整する調整手段と、
前記調整手段により調整されたペダルオン畳み込み演算手段の出力と、前記ペダルオフ畳み込み演算手段の出力とを加算する加算手段と、を有する共鳴音生成手段と、
を備えたことを特徴とする共鳴音付加装置。
【請求項７】
前記記憶手段が、鍵盤楽器を配置する所定の空間自体についてのインパルス応答特性を表す時間軸上の値であるインパルス応答係数からなるホールインパルス応答データ格納し、
前記共鳴音生成手段が、
前記ホールインパルス応答データに含まれるインパルス応答係数と、前記楽音波形データ或いは前記遅延手段から出力される遅延された楽音波形データとを乗算する乗算手段および乗算手段の出力を加算する加算手段を有するホール共鳴音畳み込み演算手段を有し、
前記共鳴音生成手段の加算手段が、前記ペダルオン畳み込み演算手段の出力と、前記ペダルオフ畳み込み演算手段の出力と、前記ホール共鳴音畳み込み演算手段の出力とを加算することを特徴とする請求項６に記載の共鳴音付加装置。
【請求項８】
押鍵数に応じて、前記調整手段における前記ホール共鳴音畳み込み演算手段の出力の調整を行う制御手段を備えたことを特徴とする請求項７に記載の共鳴音付加装置。
【請求項９】
前記楽音波形データのエンベロープを算出するエンベロープ算出手段と、
前記エンベロープ算出手段により算出されたエンベロープが、規定値以上であるときに、前記ダンパペダルの踏み込みに応じた出力の調整を行う制御手段と、
を備えたことを特徴とする請求項１、３、４、５または６に記載の共鳴音付加装置。
【請求項１０】
前記エンベロープ算出手段が、前記楽音波形データの絶対値および前記遅延手段から出力された所定の回数だけ遅延された楽音波形データの絶対値とに基づき、
前回に得られたエンベロープ＋楽音波形データの絶対値−遅延された楽音波形の絶対値によりエンベロープを算出することを特徴とする請求項９に記載の共鳴音付加装置。
【請求項１１】
前記エンベロープ算出手段が、押鍵された鍵の各々の楽音波形に対する現在のエンベロープを加算することにより、エンベロープを算出することを特徴とする請求項９に記載の共鳴音付加装置。
【請求項１２】
請求項１ないし１２の何れか一項に記載の共鳴音付加装置と、
鍵盤と、
踏み込み量を示す信号を出力するダンパペダルと、
前記鍵盤を構成する鍵のうち、押鍵された鍵の音高の楽音波形データを生成する発音手段と、
を備えたことを特徴とする電子楽器。
【手続補正２】
【補正対象書類名】明細書
【補正対象項目名】００１３
【補正方法】変更
【補正の内容】
【００１３】
本発明の目的は、共鳴音を、楽音波形データに付加する共鳴音付加装置であって、
少なくとも、鍵盤楽器においてダンパーが配置される低音側の鍵域についてのインパルス応答特性を表す時間軸上の値であるインパルス応答係数からなる低音側インパルス応答データと、鍵盤楽器においてダンパーが配置されない高音側の鍵域についてのインパルス応答特性を表す時間軸上の値であるインパルス応答係数からなる高音側インパルス応答データと、を格納した記憶手段と、
前記記憶手段に格納された低音側インパルス応答データ及び高音側インパルス応答データを読み出す読み出し手段と、
前記楽音波形データを遅延させる遅延手段と、
前記読み出された低音側インパルス応答データに含まれるインパルス応答係数と、前記楽音波形データ或いは前記遅延手段から出力される遅延された楽音波形データとを乗算する乗算手段および乗算手段の出力を加算する加算手段を有する低音側畳み込み演算手段と、
前記読み出された高音側インパルス応答データに含まれるインパルス応答係数と、前記楽音波形データ或いは前記遅延手段から出力される遅延された楽音波形データとを乗算する乗算手段および乗算手段の出力を加算する加算手段を有する高音側畳み込み演算手段と、
ダンパペダルの踏み込みが大きくなるのにしたがって、前記低音側畳み込み演算手段の出力が大きくなるように調整する調整手段と、
前記調整手段により調整された低音側畳み込み演算手段の出力と、前記高音側畳み込み演算手段の出力とを加算する加算手段と、を有する共鳴音生成手段と、
を備えたことを特徴とする共鳴音付加装置により達成される。
【手続補正３】
【補正対象書類名】明細書
【補正対象項目名】００１５
【補正方法】削除
【補正の内容】
【手続補正４】
【補正対象書類名】明細書
【補正対象項目名】００１７
【補正方法】変更
【補正の内容】
【００１７】
また、好ましい実施態様においては、前記記憶手段が、前記鍵盤楽器においてダンパーが配置される鍵域において、より低音側の第１の鍵域についてのインパルス応答特性を表す時間軸上の値であるインパルス応答係数からなる第１のインパルス応答データと、前記ダンパーが配置される鍵域において、より高音側の第２の鍵域についてのインパルス応答特性を表す時間軸上の値であるインパルス応答係数からなる第２のインパルス応答データと、を格納し、
前記共鳴音生成手段が、
前記第１のインパルス応答データに含まれるインパルス応答係数と、前記楽音波形データ或いは前記遅延手段から出力される遅延された楽音波形データとを乗算する乗算手段および乗算手段の出力を加算する加算手段を有する第１の畳み込み演算手段と、
前記第２のインパルス応答データに含まれるインパルス応答係数と、前記楽音波形データ或いは前記遅延手段から出力される遅延された楽音波形データとを乗算する乗算手段および乗算手段の出力を加算する加算手段を有する第２の畳み込み演算手段と、
前記高音側インパルス応答データに含まれるインパルス応答係数と、前記楽音波形データ或いは前記遅延手段から出力される遅延された楽音波形データとを乗算する乗算手段および乗算手段の出力を加算する加算手段を有する高音側畳み込み演算手段と、
ダンパペダルの踏み込みが大きくなるのにしたがって、前記第１の畳み込み演算手段および前記第２の畳み込み演算手段の出力が大きくなるように調整する調整手段と、  を有する。
【手続補正５】
【補正対象書類名】明細書
【補正対象項目名】００１８
【補正方法】削除
【補正の内容】
【手続補正６】
【補正対象書類名】明細書
【補正対象項目名】００２０
【補正方法】変更
【補正の内容】
【００２０】
また、本発明の目的は、共鳴音を、楽音波形データに付加する共鳴音付加装置であって、
少なくとも、鍵盤楽器においてダンパペダルが完全にオン状態であるときのインパルス応答特性を表す時間軸上の値であるインパルス応答係数からなるペダルオンインパルス応答データと、鍵盤楽器においてダンパペダルがオフ状態であるときのインパルス応答特性を表す時間軸上の値であるインパルス応答係数からなるペダルオフインパルス応答データと、を格納した記憶手段と、
前記記憶手段に格納されたペダルオンインパルス応答データ及びペダルオフインパルス応答データを読み出す読み出し手段と、
前記楽音波形データを遅延させる遅延手段と、
前記読み出されたペダルオンインパルス応答データに含まれるインパルス応答係数と、前記楽音波形データ或いは前記遅延手段から出力される遅延された楽音波形データとを乗算する乗算手段および乗算手段の出力を加算する加算手段を有するペダルオン畳み込み演算手段と、
前記読み出されたペダルオフインパルス応答データに含まれるインパルス応答係数と、前記楽音波形データ或いは前記遅延手段から出力される遅延された楽音波形データとを乗算する乗算手段および乗算手段の出力を加算する加算手段を有するペダルオフ畳み込み演算手段と、
ダンパペダルの踏み込みが大きくなるのにしたがって、前記ペダルオン畳み込み演算手段の出力が大きくなるように調整する調整手段と、
前記調整手段により調整されたペダルオン畳み込み演算手段の出力と、前記ペダルオフ畳み込み演算手段の出力とを加算する加算手段と、を有する共鳴音生成手段と、
を備えたことを特徴とする共鳴音付加装置により達成される。
【手続補正７】
【補正対象書類名】明細書
【補正対象項目名】００２２
【補正方法】削除
【補正の内容】